(57)【要約】【課題】撮像素子の少なくとも１画素の領域に入射する特定の偏光の強度を検出可能な偏光方向検出装置と、この情報を用いて画像処理可能な撮像装置を提供すること。【解決手段】物体からの光を集光する対物レンズ１１の像面に配設され前記物体の像を撮像する撮像素子１２と、前記対物レンズの画角内の入射光の偏光方向に対して複数の感度異方性を有する受光素子１２と、前記受光素子の検出情報から前記入射光の偏光方向を算出する偏光方向算出部と、前記偏光方向算出部で求められた偏光方向情報に基き、前記撮像素子で撮影された前記物体像の画像を処理する画像処理部と、を有する偏光方向検出装置とこれを有する撮像装置１０。【選択図】図１
2008026353.tif 000002
【特許請求の範囲】
【請求項１】
物体からの光を集光する対物レンズの像面に配設され前記物体の像を撮像する撮像素子と、
前記対物レンズの画角内の入射光の偏光方向に対して複数の感度異方性を有する受光素子と、
前記受光素子の検出情報から前記入射光の偏光方向を算出する偏光方向算出部と、
前記偏光方向算出部で求められた偏光方向情報に基き、前記撮像素子で撮影された前記物体像の画像を処理する画像処理部と、を有することを特徴とする偏光方向検出装置。
【請求項２】
前記受光素子は、前記撮像素子と共通であることを特徴とする請求項１に記載の偏光方向検出装置。
【請求項３】
前記感度異方性を有する受光素子は、前記受光素子の入射面の近傍に偏光方向の異なる偏光フィルタが配設されていることを特徴とする請求項１または２に記載の偏光方向検出装置。
【請求項４】
前記偏光フィルタは、偏光方向が略４５度または略９０度異ることを特徴とする請求項１から３のいずれか１項に記載の偏光方向検出装置。
【請求項５】
前記偏光フィルタの第１偏光方向は、光軸を中心とする放射方向であり、第２偏光方向は、前記第１偏光方向に対して略直交する方向であることを特徴とする請求項１から３のいずれか１項に記載の偏光方向検出装置。
【請求項６】
前記偏光フィルタは、前記受光素子の少なくとも１画素に対応して形成されていることを特徴とする請求項１から５のいずれか１項に記載の偏光方向検出装置。
【請求項７】
前記偏光フィルタは、前記受光素子の色フィルタの配列単位に対応して形成されていることを特徴とする請求項１から６のいずれか１項に記載の偏光方向検出装置。
【請求項８】
前記偏光フィルタは、前記色フィルタのうち同色の色フィルタに配設されていることを特徴とする請求項１から７のいずれか１項に記載の偏光方向検出装置。
【請求項９】
前記画像処理部は、前記偏光方向算出部の結果に基き前記撮像素子への入射光のうち特定の偏光の強度を算出することを特徴とする請求項１から８のいずれか１項に記載の偏光方向検出装置。
【請求項１０】
前記画像処理部は、撮影パターン情報を有し、
前記撮像素子で撮像された前記物体像と前記撮影パターン情報とから前記特定の偏光の強度を算出することを特徴とする請求項１から９のいずれか１項に記載の偏光方向検出装置。
【請求項１１】
前記画像処理部は、焦点距離情報、被写体距離情報、絞り値情報、シャッタスピード情報のうち少なくとも１つの情報を更に有し、
前記少なくとも１つの情報に基き前記特定の偏光の強度を算出することを特徴とする請求項１から１０のいずれか１項に記載の偏光方向検出装置。
【請求項１２】
前記画像処理部は、前記算出された特定の偏光の強度に基き、前記撮像素子に入射した前記特定の偏光の強度を低減することを特徴とする請求項１から１１のいずれか１項に記載の偏光方向検出装置。
【請求項１３】
請求項１から１２のいずれか１項に記載の偏光方向検出装置を有することを特徴とする撮像装置。
【発明の詳細な説明】
【技術分野】
【０００１】
本発明は、光学装置に入射する光の偏光方向を検出する偏光方向検出装置とこれを有する撮像装置に関する。
【背景技術】
【０００２】
従来、物体から反射して光学装置に入射する光の偏光方向を知り、所望の偏光効果を得るために、偏光フィルタをカメラのレンズ先端に装着して電動で偏光フィルタを回転させて使用することが提案されている。
【特許文献１】特開２００１−２８１７３４号公報
【発明の開示】
【発明が解決しようとする課題】
【０００３】
しかしながら、従来の実施例では、電動で回転する必要があるため、偏光フィルタをカメラのレンズに配設しているため、レンズの画角内の個々の領域（例えば、撮像素子の各画素）に入射する特定の偏光の強度を検出することが困難であり、かつこの強度を用いて画素毎に画像処理することが困難であると言う問題がある。
【０００４】
本発明は、上記課題に鑑みて行われたものであり、撮像素子の少なくとも１画素の領域に入射する特定の偏光の強度を検出可能な偏光方向検出装置と、この情報を用いて画像処理可能な撮像装置を提供することを課題とする。
【課題を解決するための手段】
【０００５】
上記課題を解決するために、本発明は、物体からの光を集光する対物レンズの像面に配設され前記物体の像を撮像する撮像素子と、前記対物レンズの画角内の入射光の偏光方向に対して複数の感度異方性を有する受光素子と、前記受光素子の検出情報から前記入射光の偏光方向を算出する偏光方向算出部と、前記偏光方向算出部で求められた偏光方向情報に基き、前記撮像素子で撮影された前記物体像の画像を処理する画像処理部と、を有することを特徴とする偏光方向検出装置を提供する。
【０００６】
また、本発明は、前記偏光方向検出装置を有することを特徴とする撮像装置を提供する。
【発明の効果】
【０００７】
本発明によれば、撮像素子の少なくとも１画素の領域に入射する特定の偏光の強度を検出可能な偏光方向検出装置と、この情報を用いて画像処理可能な撮像装置を提供することができる。
【発明を実施するための最良の形態】
【０００８】
以下、本発明の実施の形態に関し図面を参照しつつ説明する。
【０００９】
（第１実施の形態）
図１は、本発明の第１実施の形態に係る偏光方向検出装置と、これを有する撮像装置の断面図である。図２は、撮像装置の機能ブロック図である。図３は、撮像素子の断面部分図である。
【００１０】
まず、撮像装置の基本構成を図１、図２に基き説明する。
【００１１】
デジタルカメラ１０（以後、カメラと記す）は、カメラ筐体１９内に、物体側から順に、第１レンズ群Ｌ１と、第２レンズ群Ｌ２と、第３レンズ群Ｌ３とからなる撮影レンズ１１と、撮影レンズ１１の像面Ｉ近傍に配設され、撮影レンズ１１で結像された物体像を撮像する撮像素子１２（例えば、ＣＣＤイメージセンサー、ＣＭＯＳイメージセンサー等）とで構成されている。また、撮影レンズ１１は、不図示の機構により、カメラ筐体１９に沈筒可能に構成されている。撮影レンズ１１の第１レンズ群Ｌ１，第２レンズ群Ｌ２，第３レンズ群Ｌ３は，不図示の機構により光軸ＡＸに沿って移動することによりズーミングやフォーカシングを行うことが可能である。
【００１２】
撮影者は、被写体にカメラ１０を向け不図示のファインダー、或いはカメラ１０の背面に設けられた不図示の液晶表示装置を見ながら、所望の被写体構成になった時にレリーズ釦１８を押すことによって、被写体像が撮像素子１２で撮像される。撮影レンズ１１と撮像素子１２とで撮影系１５が構成されている。
【００１３】
撮像された画像信号は、撮像素子１２から画像処理系２０のＡ／Ｄ変換部２１に送られる。その後、画像処理系２０の後述する偏光調整部２２で後述する処理手順で特定の偏光光に起因する画像の劣化を軽減した後、ホワイトバランス調整部（ＷＢ調整）２３、色補間処理２４が実行されて被写体像が画像化される。この画像化された被写体像は、記録系３０の外部記憶装置３１に装着されたメモリー等の外部記憶媒体３２に記録される。
【００１４】
撮像素子１２は、図３に示すように、光入射側から順に、偏光フィルタ１２ａと、色フィルタ１２ｂと、マイクロレンズアレイ１２ｃと、受光部１２ｄとから構成されている。偏光フィルタ１２ａは、図４の矢印で示すように、直線偏光の偏光方向（位相角とも記す）が略９０度異なる偏光フィルタ１２ａａ，１２ａｂと、偏光フィルタ１２ａａ、１２ａｂに対して直線偏光の偏光方向が略４５度異なる偏光フィルタ１２ａｃ、１２ａｄの４種類が隣接して配置されている。
【００１５】
色フィルタ１２ｂは、図５に示す所謂ベイヤー配列となっており、眼のＬ錐体、Ｍ錐体、Ｓ錐体の感度特性に近い透過率を持つＲＧＢの格子状配列となっている。ここで、ＲＧＧＢの４個の色フィルタの一配列要素で一つの領域（以後、セルと記す）１２ｂａ、１２ｂｂ、１２ｂｃ、および１２ｂｄを形成している。即ち、色フィルタの一配列要素である４画素で一セルを形成する。このセルは、色フィルタ１２ｂの繰返し単位と一致している。
【００１６】
偏光フィルタ１２ａａ、１２ａｂ、１２ａｃ、１２ａｄは、それぞれ色フィルタ１２ｂのセル１２ｂａ、１２ｂｂ、１２ｂｃ、１２ｂｄに対応して配設されている。このように、受光素子１２の全ての受光部１２ｄに対して、上述の偏光フィルタ１２ａａ、１２ａｂ、１２ａｃ、１２ａｄがセル１２ｂａ、１２ｂｂ、１２ｂｃ、１２ｂｄに対応して配設されて受光素子１２が形成されている。なお、色フィルタ１２ｂの配列として所謂ベイヤー配列を示したが、その他の配列の場合にも一セルに対応して偏光フィルタ１２ａａ〜１２ａｄを配列することで同様の効果を奏することができる。
【００１７】
次に、図６を参照しつつ上記の撮像素子１２を用いて入射光の偏光方向の検出法を説明する。図６は、図１に示すデジタルカメラ１０の撮影レンズ１１に物体からの光が入射し、入射光２００以外に、各レンズ群Ｌ１からＬ３の表面乃至レンズ鏡筒１３の内側面で反射され撮像素子１２に入射する光２０１（以後、ゴースト光と記す）を示している。ゴースト光２０１は、物体からの入射光２００に対して邪魔な光であり、撮像素子１２で得られる画像を劣化させるため、低減することが望まれる。
【００１８】
通常、自然界に存在する光は、非偏光と完全偏光が混在した部分偏光となっている。ここでは簡単のため、物体側から入射する光２００が非偏光であり、また光学系の複屈折は無視できるものとする。
【００１９】
一般に境界面に光が入射する場合、その一部は境界面で反射し残りは透過するが、特にその反射率は境界面に対する電界の振動方向（偏光方向とも記す）により大きく異なる。ゴースト光２０１はレンズ群Ｌ１〜Ｌ３表面乃至レンズ鏡筒１３内側面での複数回の反射により生じる。従って、レンズ表面での屈折現象のみを経て撮像素子１２へ入射する入射光２００とゴースト光２０１では、その偏光方向が変化している。
【００２０】
本実施の形態における撮像素子１２では、上述したように、色フィルタ１２ｂの光入射側に偏光フィルタ１２ａａから１２ａｄが撮像部１２ｄの全面に配設されている。偏光フィルタ１２ａａと１２ａｂ、および１２ａｃと１２ａｄの位相角は互いに直交しており、かつ偏光フィルタ１２ａｃと１２ａｄの位相角は、偏光フィルタ１２ａａと１２ａｂの位相角に対して略４５度傾いている。位相角の異なる隣接した偏光フィルタ１２ａａから１２ａｄに対応する受光部１２ｄの出力を比較することにより、受光部１２ｄに入射する入射光２００とゴースト光２０１の強度だけでなく、偏光方向（位相角）も併せて検出することができる。
【００２１】
ここで、Ｉａは偏光フィルタ１２ａａに対応する撮像部１２ｄからの輝度出力と、Ｉｂは偏光フィルタ１２ａｂに対応する撮像部１２ｄからの輝度出力と、Ｉｃは偏光フィルタ１２ａｃに対応する撮像部１２ｄからの輝度出力と、Ｉｄは偏光フィルタ１２ａａに対応する撮像部１２ｄからの輝度出力として説明する。
【００２２】
本実施の形態では、上記ＩａからＩｄの出力信号から、偏光方向を推定することができる。例えば、ＩａとＩｃの信号比率から入射光の偏光方向が偏光フィルタ１２ａａの位相角と偏光フィルタ１２ａｃの位相角の間にあることが、ＩａとＩｄの信号比率から入射光の偏光方向が偏光フィルタ１２ａａの位相角と偏光フィルタ１２ａｄの位相角との間にあることが、ＩｂとＩｃの信号比率から入射光の偏光方向が偏光フィルタ１２ａｂの位相角と偏光フィルタ１２ａｃの位相角の間にあることが、ＩｂとＩｄの信号比率から入射光の偏光方向が偏光フィルタ１２ａｂの位相角と偏光フィルタ１２ａｄの位相角の間にあることが判ると共に、その位相角を求めることができる。このように、本実施の形態に係る撮像素子１２を用いることにより、容易に入射光の偏光方向を検出することができる偏光方向検出装置を達成することができる。
【００２３】
また、検出した偏光方向の情報を基に、画像処理系２０においてゴースト光２０１の除去、低減処理が可能になる。
【００２４】
図７は、画像処理系２０内の偏光調整部２２におけるゴースト光２０１の検出、低減処理のフローを示す図である。
【００２５】
撮像素子１２へ入射した光がゴースト光２０１であれば、その偏光度は入射光２００と比べ大きい。従って、隣接して配設された位相角の異なる偏光フィルタ１２ａａから１２ａｄに対応する受光部１２ｄの出力の比較により偏光度Ｐを求め、偏光度Ｐがあらかじめ設定した閾値以上である領域を求める。ここで偏光度Ｐは、上述のＩａ〜ＩｄよりＰ＝４×Ｉｍａｘ／（Ｉａ＋Ｉｂ＋Ｉｃ＋Ｉｄ）で定義される。ここでＩｍａｘはＩａ〜Ｉｄの最大値である。（ステップＳ１）
また、通常光学系は光軸に対して回転対称をなすため、レンズ鏡筒１３内のレンズ表面で反射した光は、光軸に対して周方向へ振動する光が多くなる。従って、偏光度Ｐの大小のみでなく、特にその大となっている振動方向が周方向となっている領域を抽出することにより、より高精度にゴースト光２０１が入射している受光部１２ｄの領域を求めることが出来る。
【００２６】
次に、ステップＳ１で求めた領域について、そのゴースト光２０１による信号強度を低減させるように、対応する各受光部１２ｄ（各画素）からの出力値を調整する。例えば、Ｉａ＞＞Ｉｃ≧Ｉｄ≧Ｉｂであったとする。このとき、Ｉａがゴースト光の主成分であると判断し、Ｉａを（Ｉｂ＋Ｉｃ＋Ｉｄ）／３まで減少させる。Ｉａ≧Ｉｃ＞＞Ｉｄ≧Ｉｂの場合も、同様に出力の小さい画素出力の平均まで、Ｉａ、Ｉｃを減少させる。（ステップＳ３）
一方、上記処理を行った際に、物体側から入射する光２００が非偏光でない場合、例えば、青空や水面からの光は偏光成分を有するために描写が意図せぬものとなってしまう可能性がある。そこで、ステップＳ１で用いた偏光度Ｐに加え、被写体形状や色情報と撮像装置に記録された撮影パターン情報との比較，及び焦点距離，被写体距離，絞り値，シャッタースピード，撮像素子感度設定，シーンモード設定などの撮影情報に基づき、入射光そのものが偏光しているか、カメラ１０内でゴースト光２０１が発生しているかを識別し、ゴースト光２０１に起因せずに偏光度Ｐが大となっている領域を除外する処理を行う。
【００２７】
例えば、画面の上半分に青空を含む、典型的な風景写真の場合、絞り値，シャッタースピード，撮像素子感度設定より、入射光の光量を求め、入射光の光量より、撮影場所が天候の良い日中屋外であることが推測できる。さらに、多くの場合、風景写真では広角よりの画角が得られる焦点距離において、無限遠付近にピントが来るよう焦点あわせを行うため、これらから風景写真との判断が出来る。また、シーンモードが「風景」と設定してあれば、それを基に風景写真かどうかの判断も可能である。さらに、画面の中央付近より上が広域にわたって青色に近い色相を含み、それが偏光していれば、それは青空であると判定することができる。（ステップＳ２）
このように、本実施の形態にかかるカメラでは、撮像素子１２が偏光フィルタ１２ａａから１２ａｄを有し、撮像素子１２からの信号を画像処理系２０の偏光調節部２２で処理することによって、ゴースト光２０１を低減した高品質の画像を得ることができる。
【００２８】
また、撮影した画像をＲＡＷデータとして記録する際、偏光方向等の情報も併せて外部記憶媒体３２に記録されるため、ＰＣ等の機器のＲＡＷ現像ソフトで画素単位での詳細な補正を後日行うことも可能である。
【００２９】
また、上記説明では、ゴースト光２０１の成分を除去あるいは低減することのみについて説明したが、逆に写真表現上の演出として、ゴースト光２０１の成分の強調を行うことも同様に行うことが出来る。
【００３０】
ここで後処理での偏光処理を行う方法について述べる。例えば、偏光フィルタにより青空の青さを強調した写真を撮る場合、撮影レンズ１１の先端或いは撮影レンズ１１内に偏光フィルタを配置するのが従来の手法であった。また、デジタル画像処理の発展とともに、コンピュータ上で画像処理を行い、青色部の明度を落とすなどして擬似的に偏光フィルタの効果と類似した処理を施すことが行われている。しかし、これは入射光の偏光状態に基づき処理を行っているだけであり、撮影レンズ１１に装着した偏光フィルタと同等の機能が得られているわけではない。
【００３１】
また、上述の反射によるゴースト光２０１の除去乃至強調を目的とする場合、上述のコンピュータ上での画像処理方法では同等の効果を得ることができない。
【００３２】
また、従来の偏光フィルタでは、画角内の全域に対して均等にのみフィルタ効果を得ることはできるが、青空と水面が同時に写り込む写真において、空の青さを強調しつつ、水面の反射を除去するような撮影は不可能であった。
【００３３】
本実施の形態に係るカメラ１０では、撮影データ自体に入射光の偏光方向等の情報を記録できることを利用し、撮影後に画面内の全域乃至一部の領域に対し、偏光に基づく画像の調節を行うことにより、実施の形態において説明した偏光フィルタ１２ａａから１２ａｄと同等の効果を与えることが出来る。
【００３４】
例えば、カメラ１０の撮影データを用いて、コンピュータ上の後処理で、青空と水面が同時に写り込む写真に対し、青空の青さの強調と水面の反射光の除去の２つの効果を同時に与える操作が可能である。これは、作業者がポインティングデバイスの操作により、画像の青空の領域を選択する。次に、先の操作で選択した範囲内の画像について、各画素を構成するＩａ〜Ｉｄの値を、作業者の指定した一定比率でそれぞれ増減させる。作業者は、Ｉａ〜Ｉｄの増減比を試行しながら、所望の画像が得られるまで作業を繰り返す。水面の反射光成分除去についても同様である。
【００３５】
なお、この技術は、上記のような風景写真のみならず、商品撮影における部分的なてかり具合やシズル感の調整、ポートレート撮影における肌の艶やキャッチライトの輝きを調整するなど、各種撮影で応用可能である。
【００３６】
次に、実施の形態で用いられる偏光フィルタの変形例についいて説明する。
【００３７】
図８は、偏光フィルタの第１の変形例を示す。図４に示す偏光フィルタ１２ａでは、各偏光フィルタ１２ａａから１２ａｄは、ＲＧＧＢの４つの画素で一つの偏光フィルタ１２ａａ（１２ａｂ〜１２ａｄも同様）を形成し、受光部１２ｄの全面に配設していた。このように受光部１２ｄの全面に偏光フィルタ１２ａａから１２ａｄを配置した場合、受光部１２ｄへの入射光量が減少してしまう。本変形例における偏光フィルタ１１２ａは、受光部１２ｄへの入射光量の減少を低減することを目的としている。
【００３８】
偏光フィルタ１１２ａのセル単位は図４と同様であるが、偏光フィルタ１１２ａａから１１２ａｄは、受光部１２ｄの一画素のみに配置している。例えば、ＲＧＧＢ４画素のうちの特定の色にのみ偏光フィルタ１１２ａａから１１２ａｄを配置している。このように色フィルタ１２ｃの特定の色にのみ偏光子を配置することで、受光部１２ｄの受光量の低下を小さくすることが出来る。例えば色フィルタ１２ｃの緑色（Ｇ）のみに偏光フィルタ１１２ａａから１１２ａｄを設ければ、緑色（Ｇ）フィルタの透過特性は広い波長帯域を含むので、効率的な検出を行うことが出来る。
【００３９】
図９は、偏光フィルタの第２変形例を示す図であり、（ａ）は、撮像素子１２を入射面側から見た図、（ｂ）は（ａ）のＰ１軸に沿って配置される偏光フィルタの位相角を、（ｃ）は（ａ）のＰ２軸に沿って配置される偏光フィルタの位相角をそれぞれ示す。
【００４０】
図４に示す偏光フィルタ１２ａは、位相角が偏光フィルタ１２ａａから１２ａｄの位相角に固定され、受光部１９の全面に配置されている場合を示した。
【００４１】
本第２の変形例では、図９（ｂ）に示すように、偏光フィルタＰＬ１は、撮像素子１２の光軸ＡＸに対して放射軸Ｐ１に第１偏光フィルタＰＬ１１の位相角が略平行に配置され、隣接する第２偏光フィルタＰＬ１２は第１偏光フィルタＰＬ１１の位相角に対して位相角が直交するように配置されている。同様に、放射軸Ｐ２では、図９（ｃ）に示すように、偏光フィルタＰＬ２は、撮像素子１２の光軸ＡＸに対して放射軸Ｐ２に第１偏光フィルタＰＬ２１の位相角が略平行に配置され、隣接する第２偏光フィルタＰＬ２２は第１偏光フィルタＰＬ２１の位相角に対して位相角が直交するように配置されている。
【００４２】
このように、本第２の変形例では、各偏光フィルタの位相角が、光軸ＡＸに対する放射軸と略平行な方向とこれに直交する方向とで構成されているため、より細かな偏光方向の検出が可能になると共に、ゴースト光の低減をより最適化することが可能になる。
【００４３】
（第２実施の形態）
図１０は、本発明の第２実施の形態に係るカメラの断面概略図である。第１実施の形態と同様の構成には同じ符号を付し説明を省略する。
【００４４】
第１実施の形態における撮像素子１２は、物体像を撮像する撮像素子１２と偏光方向を検出する撮像素子１２とを共通の受光部１２ｄで行っていた。受光部１２ｄの光入射側に偏光フィルタ１２ａを配置しているため受光部１２ｄへの入射光の光量低下が避けられなかった。本第２実施の形態では、物体像を撮像する像撮像素子と偏光方向を検出する撮像素子とを別体に構成している。
【００４５】
カメラ１０は、光軸ＡＸに対して略４５度傾けてペリクルミラー１６が、撮影レンズ１１と物体像を撮像する像像撮像素子１４の像面Ｉとの間に設けられている。撮影レンズ１１に入射した光の一部がペリクルミラー１６で反射されて撮像素子１２に入射する。像撮像素子１４の像面Ｉと撮像素子１２の像面Ｉは共役に設けられている。このような構成により像撮像素子１４で物体像を撮像しながら撮像素子１２で入射光の偏光方向の検出が可能になる。なお、撮像素子１２の構成、作用、効果は第１実施の形態と同様であり説明を省略する。
【００４６】
本第２実施の形態では、偏光方向の検出に入射光を分割して一部の光を用いるため、像撮像素子１４への入射光量の損失を少なくすることができ、カメラ１０としての高感度化の面で有利となる。なお、ペリクルミラー１６は、偏光方向検出時には光軸ＡＸに挿入し、像撮影時には光軸ＡＸから退避するように構成することもできる。このようにすると、入射光を分離することがなくなるので、像撮像素子１４への光量低下を防止することが可能になる。また、ペリクルミラー１６による反射によって生じた偏光状態は事前の調整または設定により解消することができる。
【００４７】
以上述べたように、本発明によれば、入射光の偏光方向を撮像素子の画素レベルで検出することができる撮像素子を提供することができる。また、この撮像素子を用いた偏光方向検出装置を提供することができる。また、この偏光方向検出装置を有し、コースト光の影響を低減、調節可能な撮像装置を提供することができる。
【００４８】
なお、上述の実施の形態は例に過ぎず、上述の構成や形状に限定されるものではなく、本発明の範囲内において適宜修正、変更が可能である。
【図面の簡単な説明】
【００４９】
【図１】第１実施の形態に係るデジタルカメラの断面概略図。
【図２】第１実施の形態に係るデジタルカメラの構成ブロック図。
【図３】撮像素子の断面図。
【図４】偏光フィルタの構成と位相角を示す図。
【図５】色フィルタの一例（ベイヤー配列）
【図６】ゴースト光の一例を示すデジタルカメラの断面概略図。
【図７】偏光調節部の処理フローチャート。
【図８】偏光フィルタの第１の変形例。
【図９】偏光フィルタの第２の変形例。
【図１０】第２実施の形態に係るデジタルカメラの断面概略図。
【符号の説明】
【００５０】
１０    デジタルカメラ（カメラ）
１１    撮影レンズ
１２    撮像素子
１３    レンズ鏡筒
１４    像撮像素子
１５    撮影系
１６    ペリクルミラー
１８    レリーズ釦
１９    カメラ筐体
２０    画像処理系
２１    Ａ／Ｄ変換部
２２    偏光調整部
２３    ホワイトバランス調整部
２４    補間処理部
３０    記録系
３１    外部記憶装置
３２    外部記憶媒体
Ｌ１    第１レンズ群
Ｌ２    第２レンズ群
Ｌ３    第３レンズ群
ＡＸ    光軸
１２ａ、１１２ａ、ＰＬ１、Ｐｌ２  偏光フィルタ
【図１】
2008026353.tif 000003
【図２】
2008026353.tif 000004
【図３】
2008026353.tif 000005
【図４】
2008026353.tif 000006
【図５】
2008026353.tif 000007
【図６】
2008026353.tif 000008
【図７】
2008026353.tif 000009
【図８】
2008026353.tif 000010
【図９】
2008026353.tif 000011
【図１０】
2008026353.tif 000012